(57)【要約】      （修正有）【課題】厚さがより薄く、構造の強度が高く、噛合い部の前端がテーパー状を呈するため、小型の電極でも容易に挟み可能であり、より狭い作業スペースでも差込み可能であり、利用が極めて便利な蓄電池用クリップを提供する。【解決手段】蓄電池の電極を挟む構造であり、互いに枢着し、相対的に旋回可能であり、握り部と、握り部の反対側に位置する第１噛合い部と、補強リブと、をそれぞれ有し、二つの第１噛合い部は、屈折し互いに近接する屈折段２１をそれぞれ含み、補強リブは、少なくとも一部が屈折段に設けられている。蓄電池用クリップは、二つのクリップ本体と、二つのクリップ本体の間に設けられている弾性機構と、を含み、弾性機構により、二つのクリップ本体の第１噛合い部が付勢されて互いに近接する。【選択図】図２
0003204156.tif 000002
【実用新案登録請求の範囲】
【請求項１】
蓄電池の電極を挟む構造であり、
互いに枢着し、相対的に旋回可能であり、握り部と、前記握り部の反対側に位置する第１噛合い部と、補強リブと、をそれぞれ有し、二つの前記第１噛合い部は、屈折し互いに近接する屈折段をそれぞれ含み、前記補強リブは、少なくとも一部が前記屈折段に設けられている二つのクリップ本体と、
二つの前記クリップ本体の間に設けられている弾性機構と、
を含み、
前記弾性機構により、二つの前記クリップ本体の前記第１噛合い部が付勢されて互いに近接することを特徴とする蓄電池用クリップ。
【請求項２】
前記各屈折段の末端に第１歯部がそれぞれ設けられており、二つの前記第１歯部の先端はほぼ同じ直線に位置することを特徴とする、請求項１に記載の蓄電池用クリップ。
【請求項３】
二つの前記クリップ本体の前記第１噛合い部が互いに接触するときに、二つの前記第１歯部の開角は１７０度より小さいことを特徴とする、請求項２に記載の蓄電池用クリップ。
【請求項４】
二つの前記第１歯部の開角は６０度より小さいことを特徴とする、請求項３に記載の蓄電池用クリップ。
【請求項５】
二つの前記クリップ本体の前記第１噛合い部が互いに接触するときに、二つの前記クリップ本体の前記第１歯部が互いに交錯するように噛合うことを特徴とする、請求項２に記載の蓄電池用クリップ。
【請求項６】
前記屈折段の末端はテーパー段であり、前記テーパー段の両側は第１斜面をそれぞれ有し、前記第１歯部は、前記テーパー段の末端に設けられており、二つの前記第１斜面の間に位置することを特徴とする、請求項２に記載の蓄電池用クリップ。
【請求項７】
前記クリップ本体の前記第１噛合い部の両側には、前記第１噛合い部にほぼ直交する第２噛合い部がそれぞれ設けられており、前記第２噛合い部は、第２歯部と、第２斜面と、を有し、前記第２斜面は、一端が前記第１斜面に直交するように前記第１斜面と連接し、他端が前記第２歯部と連接し、前記第１歯部から離れる方向へ延びることを特徴とする、請求項６に記載の蓄電池用クリップ。
【請求項８】
前記クリップ本体の前記第１歯部は前記屈折段に直交し、二つの前記クリップ本体の前記第１噛合い部が互いに接触するときに、二つの前記クリップ本体の旋回方向にほぼ直交する方向から見る場合には、二つの前記第１斜面と二つの前記第２斜面とから形成する輪郭はほぼ菱形状を呈することを特徴とする、請求項７に記載の蓄電池用クリップ。
【請求項９】
蓄電池の電極を挟む構造であり、
互いに枢着し、相対的に旋回可能であり、握り部と、前記握り部の反対側に位置する第１噛合い部と、をそれぞれ有し、二つの前記第１噛合い部は、屈折し互いに近接する屈折段をそれぞれ含み、前記屈折段の末端に第１歯部が設けられており、二つの前記第１歯部の先端はほぼ同じ直線に位置する二つのクリップ本体と、
二つの前記クリップ本体の間に設けられている弾性機構と、
を含み、
前記弾性機構により、二つの前記クリップ本体の前記第１噛合い部が付勢されて互いに接触することを特徴とする蓄電池用クリップ。
【請求項１０】
二つの前記クリップ本体の前記第１噛合い部が互いに接触するときに、二つの前記第１歯部の開角は１７０度より小さいことを特徴とする、請求項９に記載の蓄電池用クリップ。
【請求項１１】
二つの前記クリップ本体の前記第１噛合い部が互いに接触するときに、二つの前記クリップ本体の前記第１歯部は互いに交錯するように噛合うことを特徴とする、請求項９に記載の蓄電池用クリップ。
【請求項１２】
前記屈折段の末端はテーパー段であり、前記テーパー段の両側は第１斜面をそれぞれ有し、前記第１歯部は、前記テーパー段に設けられており、二つの前記第１斜面の間に位置することを特徴とする、請求項９に記載の蓄電池用クリップ。
【請求項１３】
前記クリップ本体の前記第１噛合い部の両側には、前記第１噛合い部にほぼ直交する第２噛合い部がそれぞれ設けられており、前記第２噛合い部は、第２歯部と、第２斜面と、を有し、前記第２斜面は、一端が前記第１斜面に直交するように前記第１斜面と連接し、他端が前記第２歯部と連接し、前記第１歯部から離れる方向へ延びることを特徴とする、請求項１２に記載の蓄電池用クリップ。
【請求項１４】
前記クリップ本体の前記第１歯部は前記屈折段に直交し、二つの前記クリップ本体の前記第１噛合い部が互いに接触するときに、二つの前記クリップ本体の旋回方向にほぼ直交する方向から見る場合には、二つの前記第１斜面と二つの前記第２斜面とから形成する輪郭はほぼ菱形状を呈することを特徴とする、請求項１３に記載の蓄電池用クリップ。
【請求項１５】
更に、ピン部材と、前記クリップ本体と同じ輪郭を有する二つのクリップスリーブと、を含み、前記ピン部材は二つの前記クリップ本体の間に挿入されており、二つの前記クリップ本体は、前記ピン部材を中心として相対的に旋回可能であり、前記握り部から二つの前記クリップスリーブにそれぞれ差し込まれており、前記クリップスリーブにほぼ完全に覆われ、前記握り部は、外部のケーブルと電気的に接続するための電極連接部を有し、前記クリップスリーブには、前記電極連接部と連通する貫通孔が設けられており、外部のケーブルは、前記貫通孔を挿通して前記電極連接部と電気的に接続可能であり、前記クリップスリーブは、前記握り部に対応する位置にリブが複数設けられており、前記握り部と二つの前記クリップ本体の枢着箇所との最も遠い距離は、ほぼ前記第１噛合い部と二つの前記クリップ本体の枢着箇所との最も遠い距離の１．５倍であることを特徴とする、請求項１から１４のうちの何れかの１項に記載の蓄電池用クリップ。
【考案の詳細な説明】
【技術分野】
【０００１】
本考案は、蓄電池用クリップに関するものである。
【背景技術】
【０００２】
従来のワニ口クリップは、電力や信号を伝導するための接続ケーブルとして利用可能である。例えば特許文献１の台湾実用新案Ｍ４２３３６８号に開示したワニ口クリップは、第１クリップ本体と、第２クリップ本体と、弾性体と、を含む。前記第１クリップ本体の前端の外面が第１カバーで覆われている。前記第２クリップ本体の前端の外面が第２カバーで覆われている。前記第１クリップ本体の中段の両側に第１ラグがそれぞれ設けられている。前記第２クリップ本体の中段の両側に第２ラグがそれぞれ設けられている。前記第１ラグの内面に凸部が設けられている。前記第２ラグに穴が設けられている。前記穴に前記凸部を嵌合すると、前記第１クリップは前記第２クリップに枢着されている。
【０００３】
しかしながら、上記のような構成によれば、挟み部の前端の幅がより広い。換言すると、より狭いスペースで作業する場合には、挟み部の前端の幅がより広いため、作業スペースに入ることができず、又は狭いスペースの制限により、ワニ口クリップを開けて対象物とするワークを挟むことができない。
【先行技術文献】
【特許文献】
【０００４】
【特許文献１】台湾実用新案Ｍ４２３３６８号公報
【考案の概要】
【考案が解決しようとする課題】
【０００５】
本考案の主な目的は、厚さがより薄く、構造の強度が高く、噛合い部の前端がテーパー状を呈するため、小型の電極でも容易に挟み可能であり、より狭い作業スペースでも差込み可能であり、利用が極めて便利な蓄電池用クリップを提供することにある。
【課題を解決するための手段】
【０００６】
本考案の蓄電池用クリップによると、蓄電池の電極を挟む構造であり、互いに枢着し、相対的に旋回可能であり、握り部と、握り部の反対側に位置する第１噛合い部と、補強リブと、をそれぞれ有し、二つの第１噛合い部は、屈折し互いに近接する屈折段をそれぞれ含み、補強リブは、少なくとも一部が屈折段に設けられている二つのクリップ本体と、二つのクリップ本体の間に設けられている弾性機構と、を含み、弾性機構により、二つのクリップ本体の第１噛合い部が付勢されて互いに近接することを特徴とする。
【０００７】
本考案の蓄電池用クリップによると、各屈折段の末端に第１歯部がそれぞれ設けられており、二つの第１歯部の先端はほぼ同じ直線に位置することを特徴とする。
【０００８】
本考案の蓄電池用クリップによると、二つのクリップ本体の第１噛合い部が互いに接触するときに、二つの第１歯部の開角は１７０度より小さいことを特徴とする。
【０００９】
本考案の蓄電池用クリップによると、二つの第１歯部の開角は６０度より小さいことを特徴とする。
【００１０】
本考案の蓄電池用クリップによると、二つのクリップ本体の第１噛合い部が互いに接触するときに、二つのクリップ本体の第１歯部が互いに交錯するように噛合うことを特徴とする。
【００１１】
本考案の蓄電池用クリップによると、屈折段の末端はテーパー段であり、テーパー段の両側は第１斜面をそれぞれ有し、第１歯部は、テーパー段の末端に設けられており、二つの第１斜面の間に位置することを特徴とする。
【００１２】
本考案の蓄電池用クリップによると、クリップ本体の第１噛合い部の両側には、第１噛合い部にほぼ直交する第２噛合い部がそれぞれ設けられており、第２噛合い部は、第２歯部と、第２斜面と、を有し、第２斜面は、一端が第１斜面に直交するように第１斜面と連接し、他端が第２歯部と連接し、第１歯部から離れる方向へ延びることを特徴とする。
【００１３】
本考案の蓄電池用クリップによると、クリップ本体の第１歯部は屈折段に直交し、二つのクリップ本体の第１噛合い部が互いに接触するときに、二つのクリップ本体の旋回方向にほぼ直交する方向から見る場合には、二つの第１斜面と二つの第２斜面とから形成する輪郭はほぼ菱形状を呈することを特徴とする。
【００１４】
本考案の蓄電池用クリップによると、蓄電池の電極を挟む構造であり、互いに枢着し、相対的に旋回可能であり、握り部と、握り部の反対側に位置する第１噛合い部と、をそれぞれ有し、二つの第１噛合い部は、屈折し互いに近接する屈折段をそれぞれ含み、屈折段の末端に第１歯部が設けられており、二つの第１歯部の先端はほぼ同じ直線に位置する二つのクリップ本体と、二つのクリップ本体の間に設けられている弾性機構と、を含み、弾性機構により、二つのクリップ本体の第１噛合い部が付勢されて互いに接触することを特徴とする。
【００１５】
本考案の蓄電池用クリップによると、二つのクリップ本体の第１噛合い部が互いに接触するときに、二つの第１歯部の開角は１７０度より小さいことを特徴とする。
【００１６】
本考案の蓄電池用クリップによると、二つのクリップ本体の第１噛合い部が互いに接触するときに、二つのクリップ本体の第１歯部は互いに交錯するように噛合うことを特徴とする。
【００１７】
本考案の蓄電池用クリップによると、屈折段の末端はテーパー段であり、テーパー段の両側は第１斜面をそれぞれ有し、第１歯部は、テーパー段に設けられており、二つの第１斜面の間に位置することを特徴とする。
【００１８】
本考案の蓄電池用クリップによると、クリップ本体の第１噛合い部の両側には、第１噛合い部にほぼ直交する第２噛合い部がそれぞれ設けられており、第２噛合い部は、第２歯部と、第２斜面と、を有し、第２斜面は、一端が第１斜面に直交するように第１斜面と連接し、他端が第２歯部と連接し、第１歯部から離れる方向へ延びることを特徴とする。
【００１９】
本考案の蓄電池用クリップによると、クリップ本体の第１歯部は屈折段に直交し、二つのクリップ本体の第１噛合い部が互いに接触するときに、二つのクリップ本体の旋回方向にほぼ直交する方向から見る場合には、二つの第１斜面と二つの第２斜面とから形成する輪郭はほぼ菱形状を呈することを特徴とする。
【００２０】
本考案の蓄電池用クリップによると、更に、ピン部材と、クリップ本体と同じ輪郭を有する二つのクリップスリーブと、を含み、ピン部材は二つのクリップ本体の間に挿入されており、二つのクリップ本体は、ピン部材を中心として相対的に旋回可能であり、握り部から二つのクリップスリーブにそれぞれ差し込まれており、クリップスリーブにほぼ完全に覆われ、握り部は、外部のケーブルと電気的に接続するための電極連接部を有し、クリップスリーブには、電極連接部と連通する貫通孔が設けられており、外部のケーブルは、貫通孔を挿通して電極連接部と電気的に接続可能であり、クリップスリーブは、握り部に対応する位置にリブが複数設けられており、握り部と二つのクリップ本体の枢着箇所との最も遠い距離は、ほぼ第１噛合い部と二つのクリップ本体の枢着箇所との最も遠い距離の１．５倍であることを特徴とする。
【考案の効果】
【００２１】
本考案の蓄電池用クリップによれば、次のような効果がある。
（１）補強リブの設計により、噛合い部の構造は強固となり、長期間に利用されても、噛合い力が降下せず、変形や断裂しにくい。
【００２２】
（２）屈折段の末端がテーパー段であるため、より狭いスペースに差し込んで作業可能である。第１歯部の先端が同じ直線に位置するため、噛合うときに、電極構造に加える噛合い力がより均一となり、電極構造を安定的に噛合い可能である。これにより、電極構造を噛合っているクリップ本体は、容易に揺れず、電極構造から離脱し難い。
【００２３】
（３）第１噛合い部と第２噛合い部とを有するため、小型電極（例えば電極ピン）及び大型電極（例えば電極ロッド）を挟み可能である。
【図面の簡単な説明】
【００２４】
【図１】本考案の第１の実施形態に係る蓄電池用クリップを示す模式図である。
【図２】本考案の第１の実施形態に係る蓄電池用クリップを示す別の模式図である。
【図３】図２の一部を示す拡大図である。
【図４】本考案の第１の実施形態に係る蓄電池用クリップを示す分解斜視図である。
【図５】本考案の第１の実施形態に係る蓄電池用クリップの使用時の作動を示す図である。
【図６】本考案の第１の実施形態に係る蓄電池用クリップの使用時の作動を示す図である。
【図７】本考案の第１の実施形態に係る蓄電池用クリップの使用状態を示す図である。
【図８】本考案の第２の実施形態に係る蓄電池用クリップを示す斜視図である。
【考案を実施するための形態】
【００２５】
以下、本考案の実施の形態を図面に基づいて説明する。
【００２６】
（第１の実施形態）
図１から図７を参照する。本考案の第１の実施形態に係る蓄電池用クリップ１は、蓄電池８の電極構造８１を挟む構造である。蓄電池用クリップ１は、二つのクリップ本体１１と、弾性機構７と、を含む。
【００２７】
二つのクリップ本体１１は、互いに枢着し、相対的に旋回可能であり、握り部１２と、握り部１２の反対側に位置する第１噛合い部２と、補強リブ６と、をそれぞれ有する。二つの第１噛合い部２は、屈折し互いに近接する屈折段２１をそれぞれ含む。補強リブ６は、少なくとも一部が屈折段２１に設けられている。弾性機構７は、二つのクリップ本体１１の間に設けられている。弾性機構７により、二つのクリップ本体１１の第１噛合い部２が付勢されて互いに近接する。
【００２８】
詳細には、本実施形態では、補強リブ６が完全に屈折段２１に位置し、補強リブ６により、第１噛合い部２の強度が強化され、これにより、第１噛合い部２は、変形や断裂し難い。また、二つの補強リブ６は、二つのクリップ本体１１の互いに対向する内面から突出する。もちろん、二つの補強リブ６は二つのクリップ本体１１の互いに対向する内面の反対側に位置する外面から突出してもよい。本実施形態の蓄電池用クリップ１は、更に、ピン部材４を含む。ピン部材４は二つのクリップ本体１１の間に挿入されている。二つのクリップ本体１１は、ピン部材４を中心として相対的に旋回可能である。握り部１２と二つのクリップ本体１１の枢着箇所（ピン部材４が位置する箇所）との最も遠い距離は、ほぼ第１噛合い部２と二つのクリップ本体１１の枢着箇所（ピン部材４が位置する箇所）との最も遠い距離の１．５倍である。このような比例により、二つのクリップ本体１１を押圧するときには、省力することが可能であり、利用が便利となる。一方、二つのクリップ本体１１の旋回方式は、これらに限定されず、もちろん、二つのクリップ本体１１は例えばラグによって互いに枢着してもよい。
【００２９】
詳細には、屈折段２１の末端に第１歯部２２が設けられている。二つの第１歯部２２の先端はほぼ同じ直線に位置する。このように、蓄電池用クリップ１が電極構造８１（例えば電極ヘッドなど）と噛合うときには、第１歯部２２と電極構造８１との接触面積がより一定となる。このため、第１歯部２２の電極構造８１に加える噛合い力が均一となり、二つのクリップ本体１１は、揺れ難く、電極構造８１と安定的に噛合い可能である。すなわち、二つのクリップ本体１１は、電極構造８１から離脱し難い。特に、本実施形態では、クリップ本体１１の第１歯部２２は屈折段２１に直交する。これにより、二つのクリップ本体１１は、電極構造８１とさらに安定的に噛合い可能である。二つのクリップ本体１１の第１噛合い部２が互いに接触するときに、二つの第１歯部２２の開角が１７０度より小さいことが好ましい。テストと実際の使用により、二つの第１歯部２２の開角が６０度より小さいことが好ましい。また、二つのクリップ本体１１の第１噛合い部２が互いに接触するときには、二つのクリップ本体１１の第１歯部２２が互いに交錯するように噛合うことが好ましい。これにより、第１歯部２２の歯先端は、十分な空間を有し、電極構造８１と確実に噛合い可能であり、二つのクリップ本体１１と電極構造８１との結合がより確実となる。屈折段２１の末端はテーパー段２３であり、テーパー段２３の両側は第１斜面２３１をそれぞれ有し、第１歯部２２は、テーパー段２３の末端に設けられており、二つの第１斜面２３１の間に位置することが好ましい。テーパー段２３の設計により、第１歯部２２はより狭いスペース（例えばオートバイの内装など）に差し込んで作業可能である。そして第１歯部２２は、より小さい電極構造８１（例えば小型電極）を挟み可能である。
【００３０】
クリップ本体１１の第１噛合い部２の両側には、第１噛合い部２にほぼ直交する第２噛合い部３がそれぞれ設けられていることが好ましい。詳細には、第２噛合い部３は、第２歯部３１と、第２斜面３２と、を有する。第２斜面３２は、一端が第１斜面２３１に直交するように第１斜面２３１と連接し、他端が第２歯部３１と連接し、第１歯部２２から離れる方向へ延びる。このように、第１噛合い部２は、より小さい電極構造８１を挟み可能であり、スペースの制限を克服可能であり、第２噛合い部３は、より大きい電極構造８１を挟み可能である。換言すると、蓄電池用クリップ１の適用可能な範囲は広くなる。本実施形態では、二つのクリップ本体１１の第１噛合い部２が互いに接触するときに、二つのクリップ本体１１の旋回方向にほぼ直交する方向から見る場合には、二つの第１斜面２３１と二つの第２斜面３２とから形成する輪郭はほぼ菱形状を呈する。より小さい電極構造８１（例えばより小さい電極ピン）を挟む場合には、電極構造８１が菱形状を呈するスペース内に制限される。換言すると、第１斜面２３１と第２斜面３２とは、電極構造８１に安定的に押付け可能であり、電極構造８１を確実に制限可能である。
【００３１】
二つのクリップ本体１１は導電性の材質（例えば金属）を採用するため、電流を導通するときに、ユーザが油断による感電を有効に回避するために、蓄電池用クリップ１は、更に、クリップ本体１１と同じ輪郭を有するクリップスリーブ５を含む。クリップスリーブ５により、クリップ本体１１に力を加えるときに、ユーザはクリップ本体１１を快適に握り可能である。本実施形態では、二つのクリップ本体は、握り部１２から二つのクリップスリーブ５にそれぞれ差し込まれており、クリップスリーブ５にほぼ完全に覆われる。クリップスリーブ５は、握り部１２に対応する位置にリブ５２が複数設けられていることが好ましい。これにより、握るときに、手との接触面積を増加可能であり、握りの安定性を増加可能である。本実施形態では、複数のリブ５２の形態が二つある。一つは、握るときに、パームに対応する第１リブ部５２１である。もう一つは、等距離を置いて設けられている第２リブ部５２２である。第２リブ部５２２は、ユーザの指の側面が押付け可能である。特に、実際に利用するときに、握り部１２は、外部のケーブルと電気的に接続するための電極連接部１２１を有する。クリップスリーブ５には、電極連接部１２１と連通する貫通孔５１が設けられている。外部のケーブルは、貫通孔５１を挿通して電極連接部１２１と電気的に接続可能である。
【００３２】
（第２の実施形態）
もちろん、蓄電池用クリップ１は、上記の形態に限定されない。例えば図８に示す蓄電池用クリップ１Ａは、二つのクリップ本体１１Ａと、弾性機構７Ａと、を含む。蓄電池用クリップ１Ａの上記の実施形態と相違する点は、二つのクリップ本体１１Ａは、互いに枢着し、相対的に旋回可能であり、握り部１２Ａと、握り部１２Ａの反対側に位置する第１噛合い部２Ａと、をそれぞれ有する。二つの第１噛合い部２Ａは、屈折し互いに近接する屈折段２１Ａをそれぞれ含む。屈折段２１Ａの末端に第１歯部２２Ａが設けられている。二つの第１歯部２２Ａの先端はほぼ同じ直線に位置する。弾性機構７Ａは、上記の実施形態と同じ構成を有する。
【００３３】
また、上記の各態様は、本実施形態に流用可能である。例えば屈折段２１Ａの末端もテーパー段２３Ａであり、テーパー段２３Ａの両側は第１斜面２３１Ａをそれぞれ有し、第１歯部２２Ａは、テーパー段２３Ａに設けられており、二つの第１斜面２３１Ａの間に位置する。或いは、同じように、クリップ本体１１Ａの第１噛合い部２Ａの両側には、第１噛合い部２Ａにほぼ直交する第２噛合い部３Ａがそれぞれ設けられている。このような態様は、第１の実施形態に説明したため、その詳細な説明を省略する。
【００３４】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００３５】
本考案は、クリップに適用することができる。
【符号の説明】
【００３６】
１、１Ａ    蓄電池用クリップ
２、２Ａ    第１噛合い部
３、３Ａ    第２噛合い部
４    ピン部材
５    クリップスリーブ
６    補強リブ
７、７Ａ    弾性機構
８    蓄電池
１１、１１Ａ    クリップ本体
１２、１２Ａ    握り部
２１、２１Ａ    屈折部
２２、２２Ａ    第１歯部
２３、２３Ａ    テーパー段
３１    第２歯部
３２    第２斜面
５１    貫通孔
５２    リブ
８１    電極構造
１２１    電極連接部
２３１、２３１Ａ    第１斜面
５２１    第１リブ部
５２２    第２リブ部
【図１】
0003204156.tif 000003
【図２】
0003204156.tif 000004
【図３】
0003204156.tif 000005
【図４】
0003204156.tif 000006
【図５】
0003204156.tif 000007
【図６】
0003204156.tif 000008
【図７】
0003204156.tif 000009
【図８】
0003204156.tif 000010